(57)【要約】【課題】駆動音が発生しない静粛性に優れた加湿器を提供する。【解決手段】加湿器１０は、密閉された電球ケース２５の内側に設けられた白熱電球２２と、電球ケース２５の外側に設けられた保水体１２と、水が貯められるエア貯留器３１及び第１配管３２と、これらに水を供給する水を貯める給水タンク１３とを備えている。第１配管３２には、給水タンク１３からエア貯留器３１及び第１配管３２への水の流れのみを許容する逆止弁３５が設けられている。エア貯留器３１の貯留器内空間３４と電球ケース２５の内部とは、第２配管３３によって連通され、電球ケース２５内の空気の膨張収縮が、第２配管を通じてエア貯留器３１の水面Ｓ１に伝えられる。第１配管３２には給水配管４１が接続され、その他端は保水体１２の上方まで延びている。【選択図】      図１
2020197357.tif 000002
【特許請求の範囲】
【請求項１】
密閉された容器の内側に設けられた発熱部と、
前記容器の外側において、当該容器内の熱が伝わる位置に設けられ、水が供給されると当該水を保持する保水体と、
水を貯める第１貯水部と、
前記第１貯水部に供給される水を貯める第２貯水部と、
前記第２貯水部から前記第１貯水部への水の流れのみを許容する逆止弁と、
前記第１貯水部の水面上方に設けられた空間と前記容器内とを連通し、前記容器内の気体の膨張又は収縮による体積変動を前記第１貯水部の水面に伝達する体積変動伝達配管と、
一端が前記第１貯水部に接続されるとともに、他端が前記保水体へ給水可能な位置まで延びる給水配管と、
を備えたことを特徴とする加湿器。
【請求項２】
前記給水配管は、前記体積変動伝達配管よりも細く形成されていることを特徴とする請求項１に記載の加湿器。
【請求項３】
前記第１貯水部は管状に形成されるとともに、上下方向に延びるとともに管断面が拡張された管路拡張部を有し、
前記管路拡張部は、前記第２貯水部の上端よりも上方まで延びていることを特徴とする請求項２に記載の加湿器。
【請求項４】
前記容器と前記第２貯水部とは同一水平面上に設置されていることを特徴とする請求項１乃至３のいずれか１項に記載の加湿器。
【請求項５】
前記容器は光透過性を有する素材により形成され、
前記発熱部はフィラメントに通電加熱して発光させる電球であることを特徴とする請求項１乃至４のいずれか１項に記載の加湿器。
【請求項６】
前記保水体は前記容器に被せるように設けられ、交換可能であることを特徴とする請求項１乃至５のいずれか１項に記載の加湿器。
【請求項７】
前記容器の温度を検出する容器温度検出手段と、
前記容器温度検出手段によって検出された温度が設定上限温度以上となった場合に、前記発熱部をオフ又は前記発熱部の発熱量を低下させ、前記温度が設定下限温度以下となった場合に前記発熱部をオン又は前記発熱部の発熱量を元に戻す発熱部制御手段と、
を備えたことを特徴とする請求項１乃至６のいずれか１項に記載の加湿器。
【発明の詳細な説明】
【技術分野】
【０００１】
本発明は、加湿器に関するものである。
【背景技術】
【０００２】
湿度を上げて空気の乾燥を防ぐための加湿器としては、水分を空気中に放出するための機構として、例えば気化方式、ヒータ方式及び噴霧方式等が知られている。気化方式では、水を含ませた吸水体に風を当てて当該吸水体の水を気化させ、これにより加湿空気を形成している（例えば、特許文献１参照）。ヒータ式は、貯水槽に貯められた水をヒータで加熱することにより蒸発させ、その蒸気を発散させるようにしている（例えば、特許文献２参照）。噴霧方式は、ポンプによってくみ上げた水を噴霧ノズルから噴霧させ、送風機により発散させるようにしている（例えば、特許文献３参照）。
【先行技術文献】
【特許文献】
【０００３】
【特許文献１】特開２００５−５１５５００号公報
【特許文献２】特開２０００−２３０７３４号公報
【特許文献３】特開平１０−１９３２５号公報
【発明の概要】
【発明が解決しようとする課題】
【０００４】
しかしながら、いずれの方式も、送風装置やポンプ等を駆動することによって気化した水分を発散させているため、駆動音が発生する。そのため、静粛性に劣るという懸念がある。一般住宅の寝室やホテル等の宿泊施設の部屋に置かれる加湿器としては、夜通し加湿器を駆動させ続ける場合があり、静粛な睡眠環境を阻害しかねない。
【０００５】
そこで、本発明は、駆動音が発生しない静粛性に優れた加湿器を提供することを主たる目的とする。
【課題を解決するための手段】
【０００６】
上記課題を解決すべく、本発明の加湿器は、
密閉された容器の内側に設けられた発熱部と、
前記容器の外側において、当該容器内の熱が伝わる位置に設けられ、水が供給されると当該水を保持する保水体と、
水を貯める第１貯水部と、
前記第１貯水部に供給される水を貯める第２貯水部と、
前記第２貯水部から前記第１貯水部への水の流れのみを許容する逆止弁と、
前記第１貯水部の水面上方に設けられた空間と前記容器内とを連通し、前記容器内の気体の膨張又は収縮による体積変動を前記第１貯水部の水面に伝達する体積変動伝達配管と、
一端が前記第１貯水部に接続されるとともに、他端が前記保水体へ給水可能な位置まで延びる給水配管と、
を備えたことを特徴とする。
【発明の効果】
【０００７】
本発明の加湿器によれば、発熱部によって容器内の気体が暖められて当該気体が膨張すると、体積伝達配管を介して第１貯水部に貯まった水の水面が押圧される。これにより、給水配管内の水が押し出されて保水体に供給される。供給された水は、容器の熱が保水体に伝わることで自然に気化し、加湿器が置かれた所の空気を加湿する。気化の際の気化熱によって容器の熱が奪われて容器内の気体が冷やされると、容器内の気体が収縮する。これにより、体積伝達配管を介して第１貯水部に貯まった水の水面が吸引され、第２貯水部から水が吸水されて第１貯水部の水が補充される。
【０００８】
このように空気の膨張による給水と、空気の収縮による水の補充とが繰り返し行われることにより、保水体に水が繰り返し供給され、加湿機能が維持される。ここでは、送風装置やポンプ等の駆動音が発生しないため、加湿器動作中の静穏性に優れる。
【図面の簡単な説明】
【０００９】
【図１】加湿器のシステム図。
【図２】給水時の動作を説明する動作説明図。
【図３】水補充時の動作を説明する動作説明図。
【発明を実施するための形態】
【００１０】
本発明を具体化した一実施の形態の加湿器について、まず、その全体構成を説明する。図１に示すように、加湿器１０は、加湿部１１と、保水体１２と、給水タンク１３と、第１経路１４と、第２経路１５とを備えている。
【００１１】
加湿部１１は、ベース部２１と、白熱電球２２とを備えている。ベース部２１は加湿部１１のベースとなる部分であり、水平をなす設置面２３の上に置かれている。白熱電球２２は、例えば消費電力３６Ｗのものが用いられ、ベース部２１の上面に立設されたソケット２４に取り付けられている。白熱電球２２は発熱部に相当する。ベース部２１及び白熱電球２２は、電球ケース２５によって覆われている。
【００１２】
電球ケース２５は円筒状をなし、透明な耐熱ガラスによって形成されている。なお、電球ケース２５の形状は任意であり、例えば角形筒状や楕円形をなす筒形状などであってもよい。電球ケース２５の内部空間２６は例えば２Ｌ（リットル）の容量を備え、密閉されている。内部空間２６には１気圧の空気が充填されている。なお、電球ケース２５の内部空間２６に充填されるのは、室温で凝縮しない気体であれば空気以外の気体、例えば窒素であってもよい。電球ケース２５は容器に相当する。
【００１３】
電球ケース２５の外側には、金網によって円筒状をなすように形成された外カバー２７が設けられている。外カバー２７は、電球ケース２５と非接触状態で設けられている。外カバー２７は金網によって形成されているため、電球ケース２５が発する熱を好適に伝えることが可能となっている。
【００１４】
保水体１２は、ポリビニルアルコール（ＰＶＡ）スポンジ等の多孔質素材、ポリエステルやポリエチレン等の合成繊維を用いて形成され、毛細管現象を利用して吸水性（保水性）及び速乾性が高められた素材により形成されている。保水体１２は毛足のあるものであってもよい。保水体１２は、外カバー２７が有する形状と同じ形状をなすように形成され、外カバー２７と接触状態で当該外カバー２７に被せられている。
【００１５】
給水タンク１３にはその内部に水が貯められており、加湿部１１が設置された設置面２３に置かれている。給水タンク１３に貯められた水の上方空間は、大気に開放されている。給水タンク１３は第２貯水部に相当する。
【００１６】
第１経路１４は、電球ケース２５の内部空間２６から給水タンク１３の下部につながる経路である。第１経路１４は、エア貯留器３１と、第１配管３２と、第２配管３３とを有して構成されている。エア貯留器３１、第１配管３２及び第２配管３３は、それぞれ金属よりも熱伝導率の低い樹脂素材によって形成されている。
【００１７】
エア貯留器３１は、加湿部１１や給水タンク１３が設置された設置面２３に対して垂直方向（つまり、上下方向）に延びるように設けられている。エア貯留器３１の上端は、給水タンク１３に貯められる水の上限ラインよりも上に配置されている。エア貯留器３１の下端は、給水タンク１３の水の下限ラインよりも上に配置されている。エア貯留器３１は第１配管３２の管断面よりも拡張された管断面を有している。エア貯留器３１は、管路拡張部に相当する。
【００１８】
第１配管３２は、エア貯留器３１の下端部と給水タンク１３とを接続している。第１配管３２により、エア貯留器３１の内部と給水タンク１３の内部とが連通している。そのため、エア貯留器３１の内部には給水タンク１３から供給された水が貯められ、設置面２３からの水面Ｓ１の高さは、給水タンク１３内に貯められた水の水面Ｓ２の高さと同じになっている。エア貯留器３１の上端は、給水タンク１３に貯められる水の上限ラインよりも上に配置されているため、エア貯留器３１の内部では、水面Ｓ１よりも上方に貯留器内空間３４が設けられている。第１配管３２には、給水タンク１３からエア貯留器３１へ向かう流れのみを許容し、その逆の流れを阻止する逆止弁３５が設けられている。エア貯留器３１において水が溜まっている部分及び第１配管３２が第１貯水部に相当する。
【００１９】
第２配管３３は、エア貯留器３１の上端部と電球ケース２５とを接続している。第２配管３３の電球ケース２５の側は電球ケース２５を貫通し、その端部は電球ケース２５の内部空間２６に設けられている。第２配管３３の電球ケース２５の側の端部は、電球ケース２５の内部空間２６に開放されている。そのため、第２配管３３により、エア貯留器３１の水面Ｓ１よりも上方の貯留器内空間３４と、電球ケース２５の内部空間２６とが連通している。第２配管３３の内部は密閉され、第２配管３３が電球ケース２５を貫通して内部に入り込む部分もシールされて電球ケース２５の内部空間２６の密閉状態が保たれている。第２配管３３は、体積変動伝達配管に相当する。
【００２０】
第２経路１５は、第１配管３２から保水体１２が設けられた電球ケース２５の上方に至るまで延びる経路である。第２経路１５は、給水配管４１を有している。給水配管４１は、金属よりも熱伝導率の低い樹脂素材によって形成されている。給水配管４１は、第１配管３２において逆止弁３５よりもエア貯留器３１の側に一端が接続され、他端は、保水体１２が設けられた電球ケース２５の上方において下向きに開放している。この開放部分が給水口４２となっている。給水口４２は、電球ケース２５、外カバー２７及び保水体１２の上面中心部の上方に配置されている。給水配管４１は、第２配管３３よりも細い管が用いられている。給水配管４１の内部にも第１配管３２との接続側に給水タンク１３から供給された水が貯められ、設置面２３からの水面Ｓ３の高さは、給水タンク１３内に貯められた水の水面Ｓ２やエア貯留器３１内の水面Ｓ１の高さと同じになっている。
【００２１】
次に、加湿器１０の電気的構成について説明する。図１に示すように、加湿器１０は、コントロールスイッチ５１を有している。コントロールスイッチ５１は、マイクロコンピュータを備えて構成されている、コントロールスイッチ５１は白熱電球２２に接続され、白熱電球２２のオンオフを制御する。また、コントロールスイッチ５１には温度センサ５２が接続されている。温度センサ５２は電球ケース２５の外表面に設けられており、当該外表面の温度を検出する。コントロールスイッチ５１は発熱部制御手段に相当し、温度センサ５２は容器温度検出手段に相当する。
【００２２】
温度センサ５２によって検出された電球ケース２５の外表面の検出温度は、コントロールスイッチ５１に入力され、その検出温度によって、コントロールスイッチ５１は白熱電球２２のオンオフを制御する。具体的には、検出温度が下限温度として設定された温度（例えば２４℃）以下となった場合に白熱電球２２を点灯し、検出温度が上限温度として設定された温度（例えば３１℃）以上となった場合に白熱電球２２を消灯する。なお、上限温度及び下限温度は、コントロールスイッチ５１によって任意の温度に設定することが可能である。
【００２３】
コントロールスイッチ５１はタイマを備え、任意に設定された時間が経過することによって自動的に加湿器１０の電源をオフする機能を備えている。例えばタイマを１２時間に設定することにより、電源切り忘れによる電力の不要な消費を防止できるようになっている。
【００２４】
以上のように構成された加湿器１０によれば、当該加湿器１０が設置された部屋を、次のように動作することによって加湿する。その動作を、図２及び図３を参照しながら説明する。
【００２５】
電球ケース２５の外表面の温度が下限温度として設定された温度以下となると、コントロールスイッチ５１は白熱電球２２を点灯させる。図２に示すように、白熱電球２２の点灯により発生した熱により電球ケース２５の内部空間２６の空気が暖められ、当該空気の温度は上昇する。すると、内部空間２６の空気が膨張するため、その空気の膨張が第２配管３３及び貯留器内空間３４を通じてエア貯留器３１内の水面Ｓ１に伝わり、当該水面Ｓ１を押し下げる。図２には、押し下げられた水面Ｓ１ａを二点鎖線で示している。第１配管３２には逆止弁３５が設けられているため、エア貯留器３１内の水面Ｓ１に作用した圧力により、給水配管４１内の水が押し出されて給水口４２に至り、そこから保水体１２に給水される。保水体１２に供給された水は、保水体１２に吸水されて保持されるとともに、電球ケース２５から外カバー２７に伝わった熱によって気化が促進される。これにより、加湿器１０が設置された部屋が加湿される。
【００２６】
電球ケース２５の外表面の温度が上限温度として設定された温度以上になると、コントロールスイッチ５１は白熱電球２２を消灯させる。白熱電球２２が消灯した直後も、電球ケース２５の外表面は、点灯していた白熱電球２２の熱によって暖められた状態にある。そのため、保水体１２に吸収されて保持されている水の気化は継続して行われる。
【００２７】
もっとも、白熱電球２２がすでに消灯していることから、点灯による熱が供給されない。そのため、保水体１２の水は電球ケース２５から気化熱を奪いながら気化する。これにより、電球ケース２５の温度は低下していく。すると、図３に示すように、電球ケース２５の内部空間２６の空気は収縮し、その空気収縮が第２配管３３及び貯留器内空間３４を通じてエア貯留器３１内の水面Ｓ１に伝わり、白熱電球２２の点灯時に押し出された状態にある水面Ｓ１ａを吸引する。これにより、給水配管４１の給水口４２に至っていた水は第１配管３２の側へ引くとともに、給水タンク１３から逆止弁３５を介して第１配管３２やエア貯留器３１内に水が供給される。
【００２８】
保水体１２の水の気化が続いて電球ケース２５の外表面の温度がさらに低下し、下限温度として設定された温度以下となると、コントロールスイッチ５１は再び白熱電球２２を点灯させる。これにより、保水体１２への再度の給水が行われる。その後、電球ケース２５の外表面の温度が上限温度として設定された温度以上となると、コントロールスイッチ５１は再び白熱電球２２を消灯させる。これにより、エア貯留器３１や第１配管３２に水が補充される。このように、白熱電球２２の点灯及び消灯が繰り返されることにより、保水体１２への給水と、エア貯留器３１や第１配管３２への水の補充とが交互に行われる。膨張時には保水体１２に水が供給され、収縮時には第１配管３２に水が補充されることとなり、エア貯留器３１及び第２配管３３がポンプとして機能する。それにより、給水タンク１３からの水供給が続く限り、加湿器１０による加湿が継続して行われる。
【００２９】
以上詳述したように、本発明の加湿器１０によれば、以下の作用効果を奏することができる。
【００３０】
（１）白熱電球２２によって電球ケース２５の内部空間２６の空気が暖められることによって生じる当該空気の膨張と、気化熱によって電球ケース２５の熱が奪われることによって生じる当該空気の収縮とが交互に行われる。膨張時には保水体１２に水が供給され、収縮時には第１配管３２に水が補充されることとなり、エア貯留器３１及び第２配管３３がポンプとして機能する。保水体１２に水が繰り返し供給され加湿機能が維持される。
【００３１】
この加湿機能を得る上で、送風装置やポンプ等の駆動音が発生しないため、加湿器１０の動作中における静穏性に優れている。加湿器１０を夜通し駆動させ続けたとしても、静粛な睡眠環境が阻害されるおそれを低減できる。そのため、加湿器１０は、静粛性が特に要求されるホテル、旅館等の宿泊施設における客室、一般住宅における寝室への設置が好適となる。
【００３２】
（２）コントロールスイッチ５１により、電球ケース２５の外表面が下限温度以下になると白熱電球２２が点灯し、電球ケース２５内が暖められ、電球ケース２５の外表面が上限温度以上になると白熱電球２２が消灯する。このように白熱電球２２のオンオフを制御することにより、電球ケース２５の発熱量が気化熱を上回り、発熱しすぎて水の補充が行われないという事態を防止できる。
【００３３】
（３）電球ケース２５の外表面温度が下限温度に到達する時間は、白熱電球２２が点灯した後に上限温度に到達する時間よりも十分長い。例えば、電球ケース２５の容量が２Ｌ（リットル）の耐熱ガラスであり、３６Ｗの白熱電球２２を用い、上限温度を３１℃に、下限温度を２４℃にそれぞれ設定した場合、消灯している時間は１０分程度であるのに対し、点灯時間は数分程度となった。白熱電球２２の点灯時間は１時間に１０分程度であり、消費電力は少ない。そのため、送風装置やポンプ等を常時駆動させる必要がある従前の加湿器と比較して、必要なエネルギー量が少なく、省電力化による環境への負荷低減につながる。
【００３４】
（４）給水配管４１は、第２配管３３よりも細く形成されている。配管が細い分、エア貯留器３１及び第１配管３２の水が押し出されて給水配管４１内を水が移動する場合に、その移動距離を配管が太い場合よりも長くすることができる。これにより、電球ケース２５の内部空間２６の空気が膨張した場合に、それがわずかな圧力変化であっても確実に給水口４２から水を排出することができる。
【００３５】
（５）逆に、第２配管３３は給水配管４１よりも太く形成されている。第２配管３３は、電球ケース２５の内部空間２６の空気が膨張したり収縮したりする場合に、その圧力変化をエア貯留器３１に貯まっている水の水面Ｓ１に伝達する。第２配管３３がより太く形成されていることにより、細い管である場合よりも、空気の膨張や収縮が配管内を通じて伝達される際に生じる抵抗を少なくできる。これにより、空気の膨張や収縮をエア貯留器３１の水面Ｓ１に対してより確実に伝えることができる。
【００３６】
（６）加湿器１０は、第１配管３２や第２配管３３よりも管が太く形成されてより多くの容量を備えたエア貯留器３１を有し、第１配管３２と第２配管３３との間に介在させている。そして、エア貯留器３１は、給水タンク１３の上端よりも上方に至るまで上下方向に延びるように設けられている。
【００３７】
ここで、電球ケース２５の内部空間２６から第２配管３３を経てエア貯留器３１の貯留器内空間３４に至る空間の空気は、加湿器１０の駆動中、その一部が水に徐々に溶け込んでいき、空気の容量は徐々に少なくなる。そのため、電球ケース２５の内部空間２６の空気が収縮してエア貯留器３１や第１配管３２に水が補充される場合に、エア貯留器３１内の水面Ｓ１の設置面２３からの高さは、当初の高さから徐々に上昇する。
【００３８】
そこで、より太く形成されるとともに給水タンク１３の上まで延び、十分な貯留器内空間３４を有するエア貯留器３１が設けられていることにより、空気収縮による給水タンク１３からの水吸引時に、第２配管３３へ水があふれ出ることを抑制できる。第２配管３３へ水があふれてしまうと、その水が電球ケース２５内に至り、白熱電球２２やソケット２４の電気器具に不具合を発生させるおそれがある。第２配管３３へ水があふれることが抑制されることにより、そのような不具合発生を抑制できる。
【００３９】
（７）加湿部１１と給水タンク１３は、水平をなす設置面２３に設置されている。仮に、給水タンク１３を加湿部１１よりも上に設置した場合、給水タンク１３の水がサイホンの原理によって給水配管４１を通じて電球ケース２５の内部空間２６に流れ出してしまう。逆に、給水タンク１３を加湿部１１よりも下に設置した場合、給水配管４１が上下方向に長くなって水頭圧が高くなるため、電球ケース２５の内部空間２６の空気が白熱電球２２の熱によって膨張する程度では、給水タンク１３から加湿部１１の保水体１２へ水を押し出す力が足らず、水供給が困難となる。その点で、加湿部１１と給水タンク１３とが水平な設置面２３に設置されていることで、空気の膨張及び収縮を利用したポンプ機能を好適に実現できる。
【００４０】
（８）電球ケース２５が透明な耐熱ガラスによって形成され、内部に白熱電球２２を収容してその点灯時の熱で内部空間２６の空気を暖めるようにした。白熱電球２２が点灯している間は電球ケース２５の外に光が漏れるため、加湿器１０を照明として利用することができる。本実施形態の加湿器１０のように、白熱電球２２を点灯させたり消灯させたりする場合には、その点滅を部屋内の照明の演出にも使用することができる。
【００４１】
（９）保水体１２は電球ケース２５に被せるように設けられ、交換可能となっている。そのため、定期的に洗って清潔に保つことができる。加湿器１０をホテルや旅館等の宿泊施設で利用する場合、シーツやタオル等のリネン類とともに、回収したり交換したりすることができる。また、交換時においても外カバー２７に被せるだけであるため交換作業も容易に行うことができる。
【００４２】
なお、本発明は、上記実施の形態の加湿器１０に限定されず、例えば次のような構成を採用してもよい。
【００４３】
（ａ）上記実施の形態では、電球ケース２５の外表面の検出温度に基づいて白熱電球２２を消灯させているが、調光回路を備えることで白熱電球２２の明るさ（消費電力）を少なくした状態にしてもよい。この場合、空気を収縮させる段階でも白熱電球２２がほのかに点灯している状態となり、照明の演出効果を高めることができる。
【００４４】
（ｂ）上記実施の形態では、発熱部として白熱電球２２が用いられているが、フィラメントに通電加熱して発光させる電球であればよい。また、発熱部は電球でなくてもよく、例えばヒータ等、熱を発するものであればその種類を問わない。
【００４５】
（ｃ）上記実施の形態では、エア貯留器３１が縦長形状に形成されているが、貯留器内空間３４として第２配管３３への水の漏れを防止できる程度の体積が確保されればその容量は任意であり、例えばより太く短い管状のものを用いてもよい。
【００４６】
（ｄ）上記実施の形態では、第１経路１４における第１配管３２は給水配管４１よりも太いものが用いられているが、その管の太さは任意である。また、同じく第２配管３３の太さも任意であるが、電球ケース２５の内部空間２６における空気の膨張や収縮をエア貯留器３１の水面Ｓ１により確実に伝えるという点では、給水配管４１よりも太いものであることが好ましい。
【００４７】
（ｅ）上記実施の形態では、電球ケース２５は透明な耐熱ガラスによって形成されているが、半透明の耐熱ガラスであってもよいし、素材は耐熱ガラスではなく耐熱性のある合成樹脂等であってもよい。光透過性を有する素材によって形成されていればよい。
【００４８】
（ｆ）上記実施の形態では、給水配管４１の給水口４２が、電球ケース２５、外カバー２７及び保水体１２の上面中心部の上方に配置されているが、保水体１２へ給水可能な位置あればその配置位置は任意である。例えば、電球ケース２５、外カバー２７及び保水体１２の上面縁部の上方に配置するようにしてもよい。
【符号の説明】
【００４９】
１０…加湿器、１２…保水体、１３…給水タンク（第２貯水部）、２２…白熱電球（発熱部）、２３…設置面、２５…電球ケース（容器）、３１…エア貯留器（第１貯水部、管路拡張部）、３２…第１配管（第１貯水部）、３３…第２配管（体積変動伝達配管）、３５…逆止弁、４１…給水配管。
【図１】
2020197357.tif 000003
【図２】
2020197357.tif 000004
【図３】
2020197357.tif 000005